(57)【特許請求の範囲】
【請求項１】
キャリアと、キャリアの鉛直軸線まわりに、ピボット回転可能な回転デッキ（１）を備え、水平軸線まわりに旋回可能なブームが前記回転デッキによって支持され、前記回転デッキ（１）の突出部の両側にパレット（６、７）が取り付けられて、それぞれの上に積み重ねられたカウンターウエイト・スラブ（８）を受け入れるように構成されたクレーン車両において、
前記回転デッキ（１）の後端部に、フレーム（１４）が取り付け可能であって、前記フレーム（１４）に、少なくとも前記パレット（６、７）の後方懸架ポイントのための２つの結合部が設けられ、前記パレット（６、７）が、その側部に位置するボルト結合部またはフック結合部（１１）によって、前記回転デッキ（１）のカウンター適合部（１２）に結合され、前記クレーン車両の前方を向いた前記パレット（６、７）の前記ボルト結合部またはフック結合部（１１）が、前記フレーム（１４）が取り付けられたときに、前記回転デッキ（１）の前記カウンター適合部（１２）に結合可能に構成されたことを特徴とするクレーン車両。
【発明の詳細な説明】
【０００１】
【発明の属する技術分野】
本発明は、キャリアと、キャリアの鉛直軸線まわりに、ピボット回転可能な回転デッキを備え、水平軸線まわりに旋回可能なブームが回転デッキによって支持され、外側パレットがその突出部の両側に取り付けられて、それぞれの上に積み重ねられたカウンターウエイト・スラブを受け入れるように構成されたクレーン車両に関するものである。
【０００２】
【従来の技術】
このクレーン車両においては、回転デッキの突出する外側端部が、カウンター・ブームを形成し、言ってみれば、カウンターウエイトが、ブームおよびそれに懸架されている荷重とバランスするように、回転デッキの突出する外側端部に取り付けられている。ブームおよびそれによって支持されている荷重とバランスするために、大きなカウンターウエイトが必要な場合には、通常、さらなるカウンターウエイト・スラブが、積み重ねられたカウンターウエイト・スラブ上に載置される。
【０００３】
【発明が解決しようとする課題】
しかしながら、このようにしてバランスと取ることは、さらなるカウンターウエイト・スラブを輸送し、利用可能なように保持しなければならないために、かなりのコストがかかるという問題があった。
【０００４】
したがって、本発明は、キャリアと、キャリアの鉛直軸線まわりに、ピボット回転可能な回転デッキを備え、水平軸線まわりに旋回可能なブームが回転デッキによって支持され、外側パレットがその突出部の両側に取り付けられて、それぞれの上に積み重ねられたカウンターウエイト・スラブを受け入れるように構成されたクレーン車両において、さらなるカウンターウエイト・スラブを載置することなく、より大きなバランス・カウンターモーメントを生成することのできるクレーン車両を提供することを目的とするものである。
【０００５】
【課題を解決するための手段】
本発明のかかる目的は、前記回転デッキの外側端部に、フレームが取り付け可能であって、前記フレームに、少なくとも前記パレットのそれぞれの後方懸架ポイントのための２つの適合部あるいは結合部が設けられていることを特徴とするクレーン車両によって達成される。
【０００６】
本発明にかかるクレーン車両よれば、カウンターウエイトが作用するレバーアームを伸ばすことによって、バランスモーメントを増大させることができる。これは、積み重ねられたカウンターウエイト・スラブを支持するパレットを、回転デッキに対して、後方に、オフセットさせることによって達成させることができる。
【０００７】
本発明の好ましい実施態様においては、回転デッキを後方に向けて伸ばすフレームが、パレットの１つの懸架ポイントあるいはパレットのすべての懸架ポイントを受け入れることができるように構成されている。
【０００８】
本発明の好ましい実施態様においては、懸架ポイントは、ボルト結合部あるいはフック結合部によって構成されている。
【０００９】
その側部部分に位置する懸架デバイスによって、前記パレットを、前記回転デッキのカウンター結合部に接続可能にするとともに、前記フレームが、取り付けられたときに、前記パレットの内側懸架デバイスが、外側カウンター適合部に結合可能なように構成することによって、前記レバーアームを伸ばすパレットを、簡易に取付けることが可能になる。パレットの内側懸架ポイントを、このようにして、回転デッキのすでに存在する端部カウンター適合部に結合して、取り付けられたフレームに、パレットの外側懸架ポイントのためのカウンター適合部のみが設けられるようにすることができる。
【００１０】
本発明の別の好ましい実施態様においては、前記フレームに、前記パレットの２つの側部懸架ポイントのための２つの結合部が、それぞれ、設けられている。
【００１１】
本発明の別の好ましい実施態様においては、懸架ポイントは、ボルト結合部あるいはフック結合部によって構成されている。
【００１２】
好ましくは、パレットは、回転デッキと、回転デッキに取り付けられたフレームの双方に対して、同様に、結合可能に構成されている。したがって、パレットは、パレットの側部に位置しているボルト結合部あるいはフック結合部により、回転デッキのカウンター適合部に結合可能に構成されており、パレットの内側ボルト結合部あるいはフック結合部は、フレームが取り付けられたときに、回転デッキの外側カウンター適合部に結合可能に構成されている。
【００１３】
本発明の別の好ましい実施態様においては、２つのパレットが、フレームに接続可能な中央の中間ピースによって、互いに結合されている。本実施態様においては、側部のパレットは、中央の中間ピースによって、結合されて、連続的なスラブあるいはキャリアを形成し、言ってみれば、その中央領域が、側部のフレーム上に突出しているキャリアの部分が、カウンターウエイト・スラブのためのパレット状の適合部を形成するように、フレームに結合されている。
【００１４】
ある操作状態においては、安定化カウンターモーメントの値が可変に設計されることが好ましい。したがって、本発明の別の好ましい実施態様によれば、カウンターウエイト・スラブは、回転デッキのガイド上の位置決めされたカウンターウエイト・スラブに対して、変位可能に構成されている。したがって、カウンターウエイトが作用するレバーアームは、カウンターウエイト・スラブを支持するトロリーあるいはスライド、たとえば、油圧シリンダーを対応するように変位させることによって、荷重が異なった場合に、調節することができる。
【００１５】
【発明の実施の形態】
以下、添付図面に基づいて、本発明の好ましい実施態様につき、詳細に説明を加える。
【００１６】
図１は、キャリアから外され、両端部に取り付けられ、積み重ねられたカウンターウエイト・スラブを支持するパレットを備えた回転デッキの側面図であり、図２は、図１に示された回転デッキの平面図である。図５は、図１の回転デッキの背面図である。
【００１７】
図１に示されるように、回転上部構造あるいは回転デッキ１は、ピボット軸受け（図示せず）を介して、自走式キャリア（図示せず）上の鉛直方向の回転軸線２まわりに、ピボット回転される。回転デッキ１は、歯付きターンテーブル３のみが図示された回転駆動機構を備えている。回転デッキ１は、その前方端部に、軸受け４を備え、軸受け４内で、ブームが、水平の旋回軸線上で、ピボット回転されるように構成されている。
【００１８】
複数のウインチおよび複数の駆動ユニットは、通常の方法で、回転デッキ１に取り付けられる。
【００１９】
回転デッキ１の後方端部５には、その側部に、パレット６、７が取り付けられており、パレット６、７上には、カウンターウエイト・スラブ８が積み重ねられている。パレット６、７の最下のスラブ８は、図５に示されるように、前壁あるいは側壁９、１０によって、支持されており、前壁あるいは側壁９、１０には、その上方内端部に、突出するフォーク状のシャックル（ボルト結合部またはフック結合部）１１が設けられている。フォーク状のシャックル（ボルト結合部またはフック結合部）１１は、横方向のボルト１８によって、その外端部領域内で、互いに接続されて、フック状のアイを形成しており、アイは、回転デッキ１の側部に配置された直立するカウンター適合部（カウンター・フック）１２に引っ掛けることができるようになっている。パレット６、７の床領域は、図示のように、回転デッキ１の側部分あるいは回転デッキ１に取り付けられたフレームの側部分によって、支持可能に構成されている。
【００２０】
図３は、回転デッキの後方端部に、カウンターウエイト・スラブを有し、その上に載置された側部パレットの後方端部を支持するフレームが取り付けられた回転デッキの状態を示す図１に対応した側面図であり、図４は、図３に示された回転デッキの平面図である。
【００２１】
カウンターウエイト・スラブ８が作用するレバーアームを伸ばすために、パレット６、７は、フレーム１４の取り付け具によって、図３および図４に示されるように、回転デッキ１の後方端部に向けて、オフセットすることができるように構成されており、フレーム１４は、スラブの幅にほぼ対応し、フレーム１４の後方端部には、カウンター適合部（カウンター・フック）１２のみが設けられている。このカウンター適合部（カウンター・フック）１２は、回転デッキ１のカウンター適合部に対応している。
【００２２】
本実施態様においては、パレット６、７の内側壁９が、回転デッキ１の端部のカウンター適合部（カウンター・フック）１２に接続されるように構成される一方で、パレット６、７の外側壁１０が、回転デッキの側部カウンター適合部に対する前に、同様に構成されたカウンター適合部１６に対して、フレーム１４の外端部において、同様にして接続され、あるいは、引っ掛けられるように構成されている。
【００２３】
本発明は、以上の実施態様に限定されることなく、特許請求の範囲に記載された発明の範囲内で種々の変更が可能であり、それらも本発明の範囲内に包含されるものであることはいうまでもない。
【００２４】
【発明の効果】
本発明によれば、キャリアと、キャリアの鉛直軸線まわりに、ピボット回転可能な回転デッキを備え、水平軸線まわりに旋回可能なブームが回転デッキによって支持され、外側パレットがその突出部の両側に取り付けられて、それぞれの上に積み重ねられたカウンターウエイト・スラブを受け入れるように構成されたクレーン車両において、さらなるカウンターウエイト・スラブを載置することなく、より大きなバランス・カウンターモーメントを生成することのできるクレーン車両を提供することが可能になる。
【図面の簡単な説明】
【図１】図１は、キャリアから外され、両端部に取り付けられ、積み重ねられたカウンターウエイト・スラブを支持するパレットを備えた回転デッキの側面図である。
【図２】図２は、図１に示された回転デッキの平面図である。
【図３】図３は、回転デッキの後方端部に、カウンターウエイト・スラブを有し、その上に載置された側部パレットの後方端部を支持するフレームが取り付けられた回転デッキの状態を示す図１に対応した側面面である。
【図４】図４は、図３に示された回転デッキの平面図である。
【図５】図５は、図１の回転デッキの背面図である。
【符号の説明】
１  回転デッキ
２  回転軸線
３  歯付きターンテーブル
４  軸受け
５  回転デッキの後端部
６、７  パレット
８  カウンターウエイト・スラブ
９、１０  前壁あるいは側壁
１１  シャックル（ボルト結合部またはフック結合部）
１２  カウンター適合部（カウンター・フック）
１４  フレーム
１６  カウンター適合部
１８  横方向のボルト
【図１】
0005036935.tif 000002
【図２】
0005036935.tif 000003
【図３】
0005036935.tif 000004
【図４】
0005036935.tif 000005
【図５】
0005036935.tif 000006